Podtech/llm-jp-corpus-v4-ja_patent huggingface dataset:
(57)【要約】【課題】  従来のトイレットペーパー装填器具のカッターは、ペーパーを切った際、ペーパーの先端がロールにくっついていることが多く、その上、ロールが動いて不安定に回転するのでペーパーをつまみ出すのに難渋する。【解決手段】  ペーパーの分離器（２）をカッター（３）に装着して、ペーパーの先頭部分（５）がペーパーロール（４）から完全に剥離、分離して引き出せるようにした。  ペーパーロール（４）を装填する際、カッター（３）の裏に突出する分離器（２）の丸棒の上にペーパーの先頭部分（５）を通しておけば、完全分離して使用出来る。【選択図】図１
2007313264.tif 000002
【特許請求の範囲】
【請求項１】
トイレットペーパーの先頭部分（５）をトイレットペーパーロール（４）から剥離して引出せるよう、カッター（３）に丸棒等で構成される矩形の分離器（２）を備えたトイレットペーパー装填器具のカッター。
【発明の詳細な説明】
【技術分野】
【０００１】  本発明はトイレットペーパーの装填器具のカッターの構造に関する。
【背景技術】
【０００２】  従来のカッター部は、一枚の板で作られている。
【発明の開示】
【発明が解決しようとする課題】
【０００３】  従来の器具のカッターでペーパーを切ると、切り口がロールにくっつきやすく、亦、ロールが動いて不安定になる上に、回転するので、ペーパーの先頭部分をつまみ出すのに難渋するのを解決しようとするものである。
【課題を解決しようとする課題】
【０００４】  ペーパーの先頭部分がロールから剥離して完全に浮き上がった状態になっていると、容易にペーパーをつまみ出す事が出来る。
そこで、カッターにロールからペーパーの先頭部分（５）を剥離して引出せる分離器（２）を装備したカッターを考案し、之を解決した。
【発明の効果】
【０００５】  トイレットペーパーロール（４）を器具に装填する際、ペーパーの先頭部分（５）をカッター（３）の裏側の分離器（２）に通して引出しておくと、ロールからペーパーの先頭部分（５）が完全に剥離され完全に分離した状態になり、最後まで連続使用出来る。
【発明を実施するための最良の形態】
【０００６】  カッター（３）の裏面に、基盤を有するパイプ（１）を設けて、丸棒で構成する矩形の分離器（２）を装着したトイレットペーパー装填器具のカッター。
若しくは、
（イ）  カッター（３）の左右両端から内寄りの位置に左の穴（６）と右の穴（７）を設ける。穴（６）（７）は切り欠きでも良い。
（ロ）  一本の丸棒を、左右２ヶ所、直角に折り曲げてカッター（３）の裏から左右の穴（６）（７）に通して、カッター（３）の表に引出し、数センチの所で再び直角に折り曲げて、パイプ（８）で連結し、矩形の分離器（２）を構成する。
（イ）（ロ）より成るトイレットペーパーロール（４）からトイレットペーパーの先頭部分（５）を剥離して引き出せる分離器（２）を装備したトイレットペーパー装填器具のカッター。
【実施例１】
【０００７】  自宅で実施しているが、ペーパーをつまみ出すのに難渋することがない。
【産業上の利用可能性】
【０００８】  住宅は勿論、官公庁、会社やホテル、駅、電車、航空機、汽船など公共のトイレの場合、特に薄くて固巻きのペーパーロールに効果が大きいので、喜ばれると思う。
【図面の簡単な説明】
【０００９】
【図１】  カッター（３）の裏面の基盤を有するパイプ（１）に分離器（２）を装着した状態の斜視図。
【図２】  カッター（３）を上げて、トイレットペーパーの先頭部分（５）を分離器（２）に通した状態の斜視図。
【図３】  カッター（３）を下ろした状態の斜視図。
【符号の説明】
【００１０】  １．基盤を有する分離器（２）装着用のパイプ
２．ロールからペーパーを剥離して分離する分離器
３．カッター
４．トイレットペーパーロール
５．トイレットペーパーの先頭部分
６．カッターに設けた左の穴
７．カッターに設けた右の穴
８．分離器の丸棒を連結するパイプ
【図１】
2007313264.tif 000003
【図２】
2007313264.tif 000004
【図３】
2007313264.tif 000005
(57)【要約】【課題】  パーマをかける際にエンドペーパーと輪ゴムを使用せず、カーラーを巻く要領で毛束を巻きつけるロッドカーラーと、それを固定するロッドクリップのセット。【解決手段】  合成樹脂で円筒形のロッドカーラーをつくる。直径の異なるロッドの表面に合成樹脂の粉末を付着し、髪を巻きつけやすい状態にする。ロッドを固定するクリップは合成樹脂でつくり、両面を同じ形にし、指先でとっ手をつまむと歯先が開閉できるようにする。  以上を特徴とするロッドカーラーとロッドクリップのセットである。【選択図】図１
2007313272.tif 000002
【特許請求の範囲】
【請求項１】
合成樹脂で円筒形のロッドカーラーをつくる。直径の異なるロッドの表面に合成樹脂の粉末を付着し、髪を巻きつけやすい状態にする。ロッドを固定するクリップは合成樹脂でつくり、両面を同じ形にし、指先でとっ手をつまむと歯先が開閉できるようにする。
以上を特徴とするロッドカーラーとロッドクリップのセットである。
【発明の詳細な説明】
【技術分野】
【０００１】  本発明はパーマをかけるときにエンドペーパーと輪ゴムを使用せず、カーラーを巻く要領で毛束を巻きつけるロッドカーラーと、それを固定するロッドクリップのセットに関するものである。
【背景技術】
【０００２】  従来、パーマをかける際、ロッドに毛束を巻きつけるときにエンドペーパーで毛先を巻き、輪ゴムで固定していた。
【発明の開示】
【発明が解決しようとする課題】
【０００３】  そのために次のような問題点があった。
（イ）エンドペーパーで毛先を巻き、輪ゴムで固定するロッド巻きは技術が必要で家庭でパーマをかけるのが困難だった。
（ロ）毛束をロッドに巻きつけると滑って巻けなかった。
（ハ）直径の異なるロッドに合うクリップが無く、輪ゴムで固定するしかなかった。
本発明はこれらの問題を解決するためになされたものである。
【課題を解決するための手段】
【０００４】  合成樹脂で円筒形のロッドカーラーをつくる。直径の異なるロッドの表面に合成樹脂の粉末を付着し、髪を巻きつけやすい状態にする。ロッドを固定するクリップは合成樹脂でつくり、両面を同じ形にし、指先でとっ手をつまむと歯先が開閉できるようにする。
以上を特徴とするロッドカーラーとロッドクリップのセットである。
【発明の効果】
【０００５】  パーマを巻く時間が短縮し、輪ゴムやエンドペーパー等の後片付けの手間が要らなくなった。また毛束を巻きつけるときもロッドが滑らず、直径の異なるロッドとセットになったクリップで固定するため技術の必要がなく、家庭でも簡単にパーマをかけることができた。
【発明を実施するための最良の形態】
【０００６】  以下、本発明の実施の形態について説明する。
（イ）合成樹脂で円筒形のロッドカーラー１をつくる。
（ロ）直径の異なるロッドの表面に合成樹脂の粉末を付着する。
（ハ）ロッドクリップ２は合成樹脂でつくり、両面を同じ形にする。
（ニ）クリップのとっ手をつまむと歯先が開閉できるようにする。
本発明は以上の構成よりなっている。
これを使用するときは髪の長さでロッドカーラーとロッドクリップのセットをを選び、カーラーを巻く要領で毛束をロッドに巻きつけてクリップで固定する。
【図面の簡単な説明】
【０００７】
【図１】本発明の斜視図、使用図
【図２】本発明の部分図
【図３】本発明の正面図、側面図
【図４】本発明の正面図、側面図
【符号の説明】
【０００８】  １  ロッドカーラー
２  ロッドクリップ
【図１】
2007313272.tif 000003
【図２】
2007313272.tif 000004
【図３】
2007313272.tif 000005
【図４】
2007313272.tif 000006
(57)【要約】【課題】従来の点滴器では時間と共に点滴量が減少する。調整器を設けると時間と共に点適量は減少する。【解決手段】容器を横型にし、水枕の上に設置する。更に上載荷重（点滴荷重）の減少でスプリングを伸縮させ水位変化をなくす。点滴量調整は水位調整用スライドで水位差を変化させて行う。【選択図】図１
2007313361.tif 000002
【特許請求の範囲】
【請求項１】
横型容器と水枕及びスプリングを組み合わせ水位を調整する水枕式点滴器。
【発明の詳細な説明】
【技術分野】
【０００１】本発明は、容器内の水を定量で落下させ，点滴を実行するものである。
【背景技術】
【０００２】従来の点滴器では時間と共に水位差が変化して点滴量が減少する。【０００３】調整器で管を絞り込むと時間と共に点滴量が減少する。
【発明の開示】
【発明が解決しようとする課題】
【０００４】点滴水量を定量に保つことにある。
【課題を解決しようとする手段】
【０００５】容器を水枕の上に置くことで水位変化を減少させる。
【０００６】容器を横にすることで水面変化差を減少させる。
【０００７】上載荷重の増減でスプリングを伸縮減少させる。
【０００８】水位調整用スライドで水位差を変化させ点滴量調整を行う。
【発明の効果】
【０００９】点滴量を一定に保つことが可能となる。
【発明を実施するための最良の形態】
【００１０】点滴量を一定に保つ目的を実現した。
【産業上の利用可能性】
【００１１】看護師の手間は大幅に減少し、また人為的ミスも減少する。
【図面の簡単な説明】
【００１２】
【図１】水枕式点滴器の実施方法を示した説明図である。
【図２】Ａ−Ａ断面図
【図３】Ａ部拡大図
【図４】Ｂ−Ｂ断面図
【符号の説明】
【００１３】  １．水枕
２．点滴容器
３．水枕受台
４．固定受台
５．水位差
６．目視箱
７．水位変化
８．水位調整用スライド
９．上下に移動
１０．人体へ
１１．液の減少と共に水枕中央部上昇
１２．液の減少と共に水枕端部降下
１３．スプリング
１４．注射針
１５．Ａ部
１６．レバー
【図１】
2007313361.tif 000003
【図２】
2007313361.tif 000004
【図３】
2007313361.tif 000005
【図４】
2007313361.tif 000006
(57)【要約】【課題】従来の展示物の底を見せる装置は、反射鏡１枚に対し反射して見る物であるから左右が反対に映るので文字などに於いては特に、鑑賞者が見にくい状態である欠点を有していた又、小さな展示物などは見づらい物であつた。【解決手段】鏡を合わせ鏡にすることにより展示物底部の像を左右正方向に映させることが出来又、反射鏡を凹面鏡にするか、もしくは凸レンズを展示物と下部反射鏡の間に取り付ける事により展示物を拡大して見ることが出来る、合わせ鏡式展示物底鑑賞具である。【選択図】図１
2007313151.tif 000002
【特許請求の範囲】
【請求項１】
上部に置いた物体の底面部を反射し見る為の下部反射鏡（１）と、該下部反射鏡により
反射した像を再び反射させる背面部反射鏡（２）を備えた合わせ鏡式展示物底面鑑賞具。
【請求項２】
上部に置いた物体の底面部を反射し見る為の下部反射鏡（１）と、該下部反射鏡のより
反射した像を再び反射させる背面部反射鏡（２）のどちらか一方、または両方を凹面鏡
にすることにより展示物を拡大してみることが出来る合わせ鏡式展示物底面鑑賞具。
【請求項３】
凸レンズ（１０）をもうけたことを特徴とする請求項１記載の合わせ鏡式展示物底面鑑
賞具。
【発明の詳細な説明】
【技術分野】
【０００１】
右側面板（４）と左側面板（５）に下部反射鏡（１）及び背面部反射鏡（２）を取り付
けた合わせ鏡式展示物底面鑑賞具。
【背景技術】
【０００２】
美術館、博物館などでは壷、皿などを展示し、その底にある文字などを鑑賞者に見せる
ように鏡を下に備えその反射により映る像で展示物底面部の文字、模様などを見えるよ
うにした展示物用具がある。
【発明の開示】
【発明が解決しようとする課題】
【０００３】
以上に述べた反射式の展示物用具では反射鏡が１枚だけなので展示物の左右が反対に映
るため、特に文字などは読みづらく鑑賞に時間がかかる物であった。
【課題を解決するための手段】
【０００４】
右側面板（４）と左側面板（５）に下部反射板（１）と背面部反射板（２）を取り付け
その上部に展示物乗せ透明板（３）を取り付けたもの。
【発明の効果】
【０００５】
下部反射板（１）と背面部反射板（２）を取り付けたことにより先ず下部反射板（１）
に映った像は背面反射板（２）に映りその背面反射板の像を鑑賞することになるので展
示物底面部の像が左右反転せず鑑賞することが出来る又、凸レンズ等を設けることによ
り拡大視出来る。
【発明を実施するための最良の形態】
【０００６】
右側面板（４）左側面板（５）展示物乗せ透明板（３）とからなる展示物台本体に、
展示物の底面部を反射するための下部反射鏡（１）と、該下部反射鏡により反射した像
を再反射するための背面部反射鏡（２）とを備える。
【実施例１】
【０００７】
図４に示すように展示物（６）を展示物乗せ透明板（３）の上に乗せると光線反射説明
破線（７）光線反射説明線（８）のように展示物（６）底面部の像を反射し背面部反射
鏡（２）に像が映るようにした物である。
【実施例２】
【０００８】
右側面板（４）及び左側面板（５）に取り付けられた展示物乗せ透明板（３）と下部反
射鏡（１）の隙間より背面部反射鏡（２）を見ると展示物乗せ透明板（３）の上に置い
た展示物（６）の底が正方向に映り見えるものである。
【実施例３】
【０００９】
図５図６に示すように合わせ鏡式展示物台の展示物乗せ透明板（３）の下部に凸レンズ
固定版（９）に取り付けられた凸レンズ（１０）を挿入固定することにより展示物を拡
大して見ることが出来る物である、その他凸レンズ以外にも拡大機能を有するものであ
れば良い。
【実施例４】
【００１０】
下部反射鏡（１）背面反射鏡（２）は、ガラス、金属など光を反射し鏡としての効果が
ある物であればなんでも良い。
【実施例５】
【００１１】
凸レンズ（１０）の材質は、ガラス、プラスチックなど光の透過性のあるものであれば
なんでも良い又、通常の凸レンズだけでなくシート状レンズでも良い。
【実施例６】
【００１２】
下部反射鏡（１）背面反射鏡（２）のいずれか、もしくは両方凸面鏡にすることにより
展示物を拡大してみることが出来るものである、材質はガラス、プラスチック、金属な
ど凹面鏡としての効果があるものであれば良い。
【図面の簡単な説明】
【００１３】
【図１】本発明の斜視図
【図２】本発明の正面図
【図３】本発明の側面図
【図４】本発明の像の反射を説明した図
【図５】本発明の凸レンズ及び凸レンズ固定板
【図６】本発明の凸レンズ及び凸レンズ固定板図５を本体に取り付けた図
【図７】本発明の像を背面部反射鏡で見た図
【図８】本発明の像が下部反射鏡から背面反射鏡に映るのを説明した図
【図９】本発明の合わせ鏡式展示物底面鑑賞具により展示物の像が下部反射鏡に映りその像が背面反射鏡に映ることを破線と実線により説明した図
【符号の説明】
【００１４】
１    下部反射鏡
２    背面部反射鏡
３    展示物乗せ透明板
４    右側面板
５    左側面板
６    展示物
７    光線反射説明線
８    光線反射説明線
９    凸レンズ固定板
１０    凸レンズ
１１    展示物底面透視文字
１２    背面部反射鏡による像
１３    下部反射鏡による像
１４    展示物が下部反射鏡に映る説明線
１５    下部反射鏡の像が背面反射鏡に映る説明線
【図１】
2007313151.tif 000003
【図２】
2007313151.tif 000004
【図３】
2007313151.tif 000005
【図４】
2007313151.tif 000006
【図５】
2007313151.tif 000007
【図６】
2007313151.tif 000008
【図７】
2007313151.tif 000009
【図８】
2007313151.tif 000010
【図９】
2007313151.tif 000011
(57)【要約】【課題】美容理容業およびホームカラー、ホームパーマ使用後の臭いは、１週間位取れにくかった。特に女性は、臭いが気になって本来２４時間後くらいにシャンプーをしたほうが、パーマのもちが良いにもかかわらず。パーマなどを美容室で施術した後、すぐにシャンプーをしていた。それでもなかなか臭いが取れずに困っていた。【解決手段】パーマおよびヘアカラー後に、ステンレスの櫛で梳かしながらお湯をかけてあげることにより、ステンレスの表面がプラスの電気を帯び髪に付いたマイナス分子（パーマヘアカラーのいやな残臭）をひきつけ、そのままお湯と共に流し去ることが出来ます。【選択図】図１
2007313142.tif 000002
【特許請求の範囲】
【請求項１】
櫛、荒歯、シャンプーブラシの本体にステンレスを使用したことを特徴とする脱臭ステンレス櫛
【請求項２】
前記脱臭ステンレス櫛は毛髪を梳かすことを特徴とする請求項１記載の脱臭ステンレス櫛
【請求項３】
前期脱臭ステンレス櫛は、人毛だけでなく動物の毛も梳かすことを特徴とする請求項。
【発明の詳細な説明】
【技術分野】
【０００１】
この発明は、毛に付着した臭いを除去する事に関する。
【背景技術】
【０００２】
従来の毛髪に付着した臭いを取るにはシャンプーをすることだけである。
【非特許文献１】ステンレス石鹸、インターネット上
【発明の開示】
【発明が解決しようとする課題】
【０００３】
しかしながら、以上の技術によれば、パーマ、ヘアカラー、縮毛矯正後の臭いをその場で取り去るのは困難であった。
そこで、この発明は、美容、理容技術施術後、簡単に、コストもかからずに、臭いを除去するステンレス製櫛を提供することを課題とする。
【課題を解決するための手段】
【０００４】
以上の課題を解決するために、第一発明は、ステンレスとお湯とによる脱臭効果を利用することを特徴とする。
また、第二発明は、従来のステンレス石鹸は球体であったが、それを櫛状にすることと、梳かしながら、使用することを特徴とする。
【発明の効果】
【０００５】
第一発明、または第二発明によれば、ステンレスを櫛状にして、お湯をかけながら梳かすことによりより臭いが取れやすい。
【発明を実施するための最良の形態】
【０００６】
毛髪に付着した臭いを除去するという目的を、最小コスト、永久的使用、簡単な作業で実現した。
【実施例１】
【０００７】
図１は、本器具の斜視図である。ステンレスを櫛状にして梳かすことにより毛髪の隅々まで臭いを取り去ることが可能になった。
【実施例２】
【０００８】
図１の実施例では、櫛状になっているが、他の実施形態では、歯は、生け花の剣山状の歯のものでも良い。
【産業上の利用可能性】
【０００９】
毛髪の臭い取りの為に考えついたが、繊維の脱臭にも可能性がある。
【図面の簡単な説明】
【００１０】
【図１】この発明の実施例を示した説明図である。
【符号の説明】
【００１１】
１  櫛歯
２  柄
【図１】
2007313142.tif 000003
(57)【要約】【課題】プリンタにて印刷後、回収されてない印刷済み用紙について、印刷元のユーザにその旨を通知する。【解決手段】  ＩＣタグが漉き込まれた用紙に印刷する際に、印刷元ユーザのユーザＩＤ及び印刷時刻とその用紙に漉き込まれているＩＣタグのＩＤを記録し、印刷後に印刷済み用紙が置かれる用紙トレイなどにて印刷済み用紙のＩＣタグのＩＤを読み取り、先の記録と照合することにより、印刷後に用紙トレイなどに置かれたままになっている用紙について、その印刷元ユーザに対して、印刷済み用紙が未回収である旨を通知する。【選択図】図１
2007313646.tif 000002
【特許請求の範囲】
【請求項１】
非接触型ＩＣタグが漉き込まれた用紙に印刷する際に、
印刷元ユーザのユーザＩＤ及び印刷時刻とその用紙に漉き込まれているＩＣタグのＩＤを記録し、
印刷後に印刷済み用紙が置かれる用紙トレイなどにて印刷済み用紙のＩＣタグのＩＤを読み取り、
先の記録と照合することにより、
その印刷元ユーザに対して、印刷済み用紙が未回収である旨を通知する機能を持つプリンタ。
【発明の詳細な説明】
【技術分野】
【０００１】
本発明は、印刷済み用紙の未回収を印刷元のユーザに通知する機能を持つプリンタに関するものである。
【背景技術】
【０００２】
企業のオフィス等において複数の人がプリンタを共同利用する際に、印刷済み用紙を未回収のまま放置した場合など、印刷済み用紙の紛失、盗難などの事故が発生する懸念がある。
【０００３】
従来のプリンタには、個別の印刷済み用紙について、その回収忘れを印刷元のユーザに通知する機能を持つものはない。
【０００４】
ＩＣタグは、複数個が重なっていても、その個々のＩＤを読み取ることができる。
【０００５】
用紙にＩＣタグを漉き込む技術及び用紙に漉き込まれたＩＣタグをプリンタ内部で読み取る技術は存在する。
【特許文献１】特許公開２００５−３５０８２３
【特許文献２】特許公開２０００−２９６６５３
【特許文献３】特許公開２００６−０７９２７６
【発明の開示】
【発明が解決しようとする課題】
【０００６】
プリンタにて印刷後、回収されてない印刷済み用紙について、印刷元のユーザに未回収である旨を通知する。
【課題を解決するための手段】
【０００７】
本発明は、ＩＣタグが漉き込まれた用紙に印刷する際に、
印刷元ユーザのユーザＩＤ及び印刷時刻とその用紙に漉き込まれているＩＣタグのＩＤを記録し、
印刷後に印刷済み用紙が置かれる用紙トレイなどにて印刷済み用紙のＩＣタグのＩＤを読み取り、
先の記録と照合することにより、
印刷後に用紙トレイなどに置かれたままになっている用紙について、
その印刷元ユーザに対して、印刷済み用紙が未回収である旨を通知する。
【産業上の利用可能性】
【０００８】
印刷済み用紙の回収忘れの防止に有効であり、情報セキュリティ管理対策として用いられると考えられる。
【図面の簡単な説明】
【０００９】
【図１】印刷から印刷元ユーザへの通知までの流れを説明した図である。
【図１】
2007313646.tif 000003
(57)【要約】【課題】吸着脱臭装置は維持管理上の取り替え作業等において装置を停止させる必要があり、この間は臭気ガスが拡散することになる。また、吸着剤の取り替え時期を事前に見極めるのは困難であり、吸着能力が残っている状態で吸着剤を取り替えることになる。【解決手段】本発明は、吸着塔を２つに区切って２槽とし、その槽毎に脱臭ファンを設置することで信頼性が向上する方法と、吸着剤充填層に試料採取口を設けることで吸着剤交換時期を推測する有効な手段となる方法を考案し、吸着脱臭装置の維持管理性の向上を図るものである。【選択図】図１
2007313449.tif 000002
【特許請求の範囲】
【請求項１】
脱臭ファンにより吸着剤充填層に臭気ガスを通過させ、臭気成分を吸着剤に吸着させることで脱臭する吸着脱臭装置において、吸着塔を２つに区切って２槽とし、その槽毎に脱臭ファンを設置することを特徴とする吸着脱臭装置。
【請求項２】
吸着剤充填層に試料採取口を設けることを特徴とする請求項1記載の吸着脱臭装置。
【発明の詳細な説明】
【技術分野】
【０００１】
本発明は、臭気ガスを脱臭する方法として、脱臭ファンにより吸着剤充填層に臭気ガスを通過させ、臭気成分を吸着剤に吸着させることで脱臭する吸着脱臭装置に関するものである。
【背景技術】
【０００２】
臭気ガスを脱臭する目的で使用される吸着脱臭装置は、脱臭ファンにより吸着剤充填層に臭気ガスを通過させ臭気成分を吸着剤に吸着させることで脱臭するものである。吸着剤には活性炭等が使用され、吸着剤のもつ多孔質で空隙率の大きい微細な毛細管によって臭気成分を吸着補足して除去する物理的現象を主に利用するものである。このため、吸着剤の毛細管に臭気成分が吸着されるに従い脱臭能力が低下することになり、臭気ガスを流し続けると、ついには原臭が除去されず出口側に出てくる。この状態を破過といい、通常は破過に達する前に吸着剤の取り替えを行う。
【０００３】
また、脱臭ファンの運転は２４時間の連続運転を想定しており、比較的高速回転となる吸着脱臭装置の脱臭ファンにおける軸受けは、破損する前に定期的に取り替えを行う。
したがって、本設備の脱臭能力を維持管理するためには、吸着剤及び脱臭ファンの軸受けを定期的に取り替える必要がある。
【発明の開示】
【発明が解決しようとする課題】
【０００４】
しかし、吸着剤及び脱臭ファンの軸受けを取り替えるには吸着脱臭装置の停止を伴い、修理を行う場合にも同様である。この場合において停止時間が長くなると臭気ガスの拡散による臭気苦情につながるため、出来るだけ短時間での作業が要求される。
【０００５】
また、吸着剤は破過する直前に取り替えるのが最も効率的であるが、通常は臭気ガスの濃度や湿度に変動があるため破過する時期を事前に見極めるのは困難であり、吸着脱臭装置の停止による臭気ガスの拡散が問題となる場所では、吸着能力が残っている状態で吸着剤を取り替えることになる。
【０００６】
本発明は、このような従来の問題点を解決しようとするもので、吸着脱臭装置の信頼性を向上させる方法と吸着剤交換時期を推測する有効な手段となる方法を考案し、維持管理性の向上を図るものである。
【課題を解決するための手段】
【０００７】
吸着脱臭装置の吸着塔を２つに区切って２槽とし、その槽毎に脱臭ファンを設置することで、取り替え及び修理を行う場合にも１槽又は１台ずつ行えるため、残りの１槽及び１台を継続して運転させる事が可能となる。
【０００８】
また、吸着剤充填層に試料採取口を設けることで、試料採取口から以前における吸着剤充填層の破過の有無が確認できるため、次に試料採取口から以降の吸着剤充填層が破過する時期を推測する有効な手段となる。
【発明の効果】
【０００９】
本発明によれば、吸着脱臭装置の維持管理上やむを得ない装置の停止を1槽ずつ行えるので、残りの1槽は運転を継続することが可能となり、吸着脱臭装置の信頼性が向上する。
また、吸着剤が破過する時期を推測する有効な手段を有することで、吸着剤の取り替えが適正な時期となり、延命化につながることで吸着剤の取り替え費用を抑えられ、さらに吸着剤の取り替え準備が余裕を持って行える。
【００１０】
臭気ガスが発生する施設における周辺からの臭気苦情は、施設のもつイメージから一層強く指摘される傾向にあるが、本発明によるこれらの効果は、吸着脱臭装置の維持管理性を向上させることで維持管理担当者の精神的負担が軽減され、さらに臭気対策の強化となって臭気ガスの拡散による臭気苦情の減少及び施設のもつイメージの改善につながると思われる。
【実施例１】
【００１１】
本発明の維持管理性に優れた吸着脱臭装置は、図1に示されるように、吸着塔１を２つに区切って２槽とし、槽毎に脱臭ファン２、ミストセパレータ３、風量調整ダンパー４を設置している。
停止する槽の入口及び出口にある風量調整ダンパー４の閉により、停止する槽と運転する槽の臭気ガスの行き来を遮断し、残りの槽を継続して運転させる事が可能となる。
【００１２】
槽を２つに区切る方法には、吸着塔内に仕切り板を設置する方法と、独立した1槽の吸着塔を並べて２槽設置する方法が考えられる。どちらを選択するかは吸着塔の大きさと設置場所への搬入経路を比較検討することになるが、日本の道路事情を考慮すると、槽の大きさが２．５ｍ以上となる場合には1槽の吸着塔を並べて２槽設置する方が現地での作業が少なく有利であると考えられる。
【００１３】
通常の吸着塔にはバイパスダクトを設置するが、本発明により信頼性が向上することで、バイパスダクトは必要ないと考える。
【実施例２】
【００１４】
また、図２に示されるように、通常の吸着脱臭装置には吸着塔入口の試料採取口６及び吸着塔出口の試料採取口８を有しているが、本発明では吸着剤充填層５に吸着剤充填層の試料採取口７を設けている。
このことで、吸着剤充填層の試料採取口７から以前における吸着剤充填層５の破過の有無を容易に確認することが可能となる。
【００１５】
吸着剤充填層５から吸着剤充填層の試料採取口７への配管は柔軟性のあるチューブ等とし、チューブの接続は吸着剤交換時に容易に着脱できる方法をとる。
【産業上の利用可能性】
【００１６】
上述の発明は、脱臭ファンにより吸着剤充填層に臭気ガスを通過させ、臭気成分を吸着剤に吸着させることで脱臭する吸着脱臭装置において、維持管理性に優れた吸着脱臭装置として利用可能である。
【図面の簡単な説明】
【００１７】
【図１】吸着脱臭装置の構成と臭気ガスの流れを示すフロー図である。（実施例１）
【図２】吸着剤充填層に試料採取口を設ける例と臭気ガスの流れを示すフロー図である。（実施例２）
【符号の説明】
【００１８】
１・・・吸着塔
２・・・脱臭ファン
３・・・ミストセパレータ
４・・・風量調整ダンパー
５・・・吸着剤充填層
６・・・吸着塔入口の試料採取口
７・・・吸着剤充填層の試料採取口
８・・・吸着塔出口の試料採取口
【図１】
2007313449.tif 000003
【図２】
2007313449.tif 000004
(57)【要約】【課題】沈殿式の水処理装置の負荷軽減及び維持管理の簡素化【解決手段】複数枚の連続した金網状のプレートが固形物を捕獲し、動力によって動きながら、ゴム製の掻取板により分離され、水圧による洗浄により再生を常時行う機能を有する固液分離装置。【選択図】図1
2007313411.tif 000002
【特許請求の範囲】
【請求項１】
凝集剤と外部から導入される汚水とを混和し十分攪拌させたものを導入し、凝集された凝集物と、処理水と、を連続的に固液分離する固液分離装置。
【請求項２】
前記固液分離装置は複数枚の連続した金網状のプレートが固形物を捕獲し、常時動きながら、掻取板と水圧による洗浄の二段階の再生を常時行う機能を有する請求項１記載の固液分離装置
【発明の詳細な説明】
【技術分野】
【０００１】
本発明は、汚水中の固形物を分離する装置に関するものである。
【背景技術】
【０００２】
近年、高分子凝集剤やゼオライト系の凝集剤の開発等により新たな凝集材を利用した水処理装置が開発されている。（例えば、特許文献１、特許文献２参照）
【特許文献１】特開平１０−３３７５７５
【特許文献２】特開２００６−０４３６２６
【発明の開示】
【発明が解決しようとする課題】
【０００３】
しかし、それらの水処理装置は沈殿方式によるものがほとんどである。この場合凝集物の分離除去は沈殿槽でのみ行われるため沈殿槽からの頻繁な引き抜き等が必要である。
【０００４】
上記課題を解決し沈殿槽の負荷を軽減し、維持管理の容易な装置にすることを目的とする。
【課題を解決するための手段】
【０００５】
本発明の固液分離装置は、沈殿槽の前に複数枚の連続した金網状のプレートが固形物を捕獲し、動力によって動きながら、ゴム製の掻取板により分離され、水圧による洗浄により再生を常時行う機能を有することで上記問題点を解決したものである。
【発明の効果】
【０００６】
本発明は、食品排水、工場排水、高濁度処理、雑排水、池、沼、湖の水質改善に幅広く使用できる。
【０００７】
既存の水質浄化装置等へ組み込むことにより、沈殿槽への負荷を低減し、維持管理の簡素化ができる。
【０００８】
本発明は、プレートの交換により捕捉対象物の大きさを変更できる。
【発明を実施するための最良の形態】
【０００９】
この装置は大きく分けると、プレート、掻取板、水圧洗浄部、シューター、動力とで構成されている。
【実施例】
【００１０】
つぎに、本発明の実施の形態を図面を参照しながら詳細に説明する。
【００１１】
図1に装置のシステム全体の構成を示す。
【００１２】
固形物を含んだ導入水は、2本のチェーンに垂直に取り付けられたプレートの上に流れ込み、固形物はプレートの上に捕捉され、液体はプレートの下へと落ちる。通過した液体は処理水として下部に設けた処理水タンクへと落ちる。
【００１３】
固形物を捕捉したプレートは、掻取板により固形物をプレートより分離される。
【００１４】
掻取板により固形物をこそぎ落とされたプレートは落としきれなかった固形物を、装置内側にある洗浄水管より噴出される水圧洗浄により洗浄、再生される。
【００１５】
掻取板によって分離された固形物は掻取板下部に設置したシューターへ落ち受けかごへ入る。
【００１６】
洗浄水は、処理水槽よりポンプアップされたものを使うか、外部より浄水を導入し使用する。
【００１７】
プレートは対象物にあわせ交換可能である。また、破損時も破損箇所のみの交換が可能である。
【図面の簡単な説明】
【００１８】
【図１】本発明の実施形態に係わる装置のシステム構成を示す図である。
【図２】プレートの平面図である。
【図３】洗浄水管の断面図である。
【符号の説明】
【００１９】
１    プレート            ２    洗浄水管          ３    掻取板
４    シューター          ５    固形物受けカゴ    ６    処理水タンク
７    スプロケット        ８    チェーン          ９    原水入口
１０  処理水出口          １１  仕切り板          １２  プレート取り付け穴
１３  洗浄水噴出孔
【図１】
2007313411.tif 000003
【図２】
2007313411.tif 000004
【図３】
2007313411.tif 000005
(57)【要約】      （修正有）【課題】レシート状紙片の領収書を複写した場合に、それが複写領収書であることが明確に表示される不正複写防止手段を有する領収書用ロール紙を提供すること。【解決手段】領収書用ロール紙１は、印字面１０を有する細長い連続紙片１１からなる。所定の印字区画１２が印字面１０の長手方向にそって連続的に形成される。所定の文字１３が各印字区画１２に紫外線硬化型インキによって予め印刷される。各印字区画１２に印刷された所定の文字１３は、通常の状態では視認できない。しかし、各印字区画１２の紙片１１が複写機またはスキャナによって一旦複写されると、紫外線硬化型インキによる印刷文字１３が複写機またはスキャナの光源からの光線に反応して明確に視認できるように表示される。各印字区画１２に紫外線硬化型インキによって印刷された「複写」、「ＣＯＰＹ」等の所定の文字１３は、不正複写防止手段となる。【選択図】図３
2007313812.tif 000002
【特許請求の範囲】
【請求項１】
印字面を有する細長い連続紙片からなり、所定の印字区画が前記印字面の長手方向にそって連続的に形成され、所定の文字が各印字区画に紫外線硬化型インキによって予め印刷された領収書用ロール紙。
【請求項２】
前記各印字区画に紫外線硬化型インキによって印刷された所定の文字は、通常の状態では視認できないが、各印字区画の紙片が複写機またはスキャナによって一旦複写されると、前記紫外線硬化型インキによる印刷文字が複写機またはスキャナの光源からの光線に反応して明確に視認できるように表示される、請求項１に記載の領収書用ロール紙。
【請求項３】
前記各印字区画に印刷された「複写」、「ＣＯＰＹ」等の所定の文字は、不正複写防止手段である、請求項２に記載の領収書用ロール紙。
【請求項４】
前記印字面の各印字区画裏面に通常のインキによって所定の標記が予め印刷された、請求項１、２、または３に記載の領収書用ロール紙。
【請求項５】
前記所定の標記は広告表示である、請求項４に記載の領収書用ロール紙。
【請求項６】
前記所定の標記は抽籤表示である、請求項４に記載の領収書用ロール紙。
【発明の詳細な説明】
【技術分野】
【０００１】
本発明は、領収書用ロール紙に関し、特に、不正複写防止手段を備えた領収書用ロール紙に関する。
【背景技術】
【０００２】
近年の領収書は、所定の事項が金銭登録機によって領収書用ロール紙の各印字区画に印字された後に、印字区画ごとに切断されたレシート状紙片のものが多い。しかし、このような領収書を複写して、医療控除の申請、会社経費の処理等に不正に使用される場合もある。
【０００３】
近年の複写機またはスキャナは、多様化、精密化してきたので、原初領収書と複写領収書との区別が非常に困難である。そのために、領収書の不正使用を事前に確認することはますます困難になってきている。
【発明の開示】
【発明が解決しようとする課題】
【０００４】
本発明の課題は、レシート状紙片の領収書を複写した場合に、それが複写領収書であることが明確に表示される不正複写防止手段を有する領収書用ロール紙を提供することにある。
【課題を解決するための手段】
【０００５】
本発明の領収書用ロール紙は、印字面を有する細長い連続紙片からなる。所定の印字区画が印字面の長手方向にそって連続的に形成される。所定の文字が各印字区画に紫外線硬化型インキ（ＵＶインキ）によって予め印刷される。各印字区画に印刷された所定の文字は、通常の状態では視認できない。しかし、各印字区画の紙片が複写機またはスキャナによって一旦複写されると、紫外線硬化型インキによる印刷文字が複写機またはスキャナの光源からの光線に反応して明確に視認できるように表示される。各印字区画に紫外線硬化型インキによって印刷された「複写」、「ＣＯＰＹ」等の所定の文字は、不正複写防止手段となる。
【０００６】
印字面の裏面の各印字区画には、通常のインキによって所定の標記が予め印刷されてもよい。その所定の標記は広告表示または抽籤表示でもよい。
【発明の効果】
【０００７】
本発明によれば、領収書用ロール紙の各印字区画に印刷された所定の文字は、通常の状態では視認できない。しかし、各印字区画の紙片が複写機またはスキャナによって一旦複写されると、明確に視認できるように表示されるので、領収書の不正使用を事前に防止できる。
【発明を実施するための最良の形態】
【０００８】
図１−４を参照して、本発明に基づく領収書用ロール紙の実施例について説明する。
【０００９】
図１に示すように、本発明に基づく領収書用ロール紙１は、印字面（表面）１０を有する細長い連続紙片１１からなる。所定の印字区画１２が印字面１０の長手方向にそって連続的に形成される。所定の文字１３（例えば、「複写」、「ＣＯＰＹ」等）が各印字区画１２に紫外線硬化型インキ（ＵＶインキ）によって予め印刷される。
【００１０】
紫外線硬化型インキは、印字面１０に印刷されたときには通常の状態（肉眼）では視認できない（図２参照）。しかし、各印字区画１２の紙片１１が複写機またはスキャナによって一旦複写されると、紫外線硬化型インキによる印刷文字１３が複写機またはスキャナの光源からの光線に反応して明確に視認できるように表示される（図３参照）。したがって、各印字区画１２に印刷された「複写」、「ＣＯＰＹ」等の所定の文字１３は、不正複写防止手段としての機能を発揮する。
【００１１】
紫外線硬化型インキは即乾性があるので、印字面１０に所定の文字１３を印刷した直後に、図４に示すように、各印字区画１２の裏面２０に、通常のインキによって所定の標記２１が予め印刷されてもよい。その所定の標記２１は、広告表示または抽籤表示でもよい。抽籤表示の場合には、不規則な間隔で印字区画１２の裏面２０に印刷されてもよい。
【産業上の利用可能性】
【００１２】
本発明は、領収書ばかりではなく、一般の受領書、保管書、証明書等にも適用できる。
【図面の簡単な説明】
【００１３】
【図１】本発明に基づく領収書用ロール紙の斜視図である。
【図２】図１の領収書用ロール紙に印字されたレシート状紙片の領収書の一例を示す平面図である。
【図３】図２に示す領収書の複写紙片の平面図であって、領収書を複写した場合に表示された不正複写防止手段の一例を示す。
【図４】図２に示す領収書の裏面の平面図である。
【符号の説明】
【００１４】
１    領収書用ロール紙              １０    印字面（表面）
１１    紙片                          １２    印字区画
１３    所定の文字（不正複写防止手段）
２０    裏面
２１    広告、抽籤等の所定標記
【図１】
2007313812.tif 000003
【図２】
2007313812.tif 000004
【図３】
2007313812.tif 000005
【図４】
2007313812.tif 000006
(57)【要約】      （修正有）【課題】インキがなくなればリフィールの交換、芯の補充が出来、継続して使用が可能な筆記具で、携帯に便利で必要に応じ収納、突出、静止機能を持つルーペ付き筆記具でルーペのレンズ面が傷、汚れが突きにくい工夫が成された筆記具。【解決手段】拡大率を表示したルーペ付き筆記具で携帯に便利な一般的なサイズで作るため広く市販されている短いサイズのリフィールを使用し、後軸に見やすい円形ルーペの収納、突出、静止機能を持たせ、先軸、後軸を連結し完成させたボールペン、シャープペンシルであり、先軸と後軸の連結部上方に施された横孔にクリップ兼ノックを差し込み固定し作動可能にする筆記具の実現をする、ルーペレンズ面を傷、汚れ等を防ぐため、円形ルーペを覆うような形状では後軸に重心が移動し筆記バランスが悪くなりレンズ面が直接、物に当たったり、擦れたりすることなどがないようにする方法を取り入れる。【選択図】図１
2007313870.tif 000002
【特許請求の範囲】
【請求項１】
拡大率表示した見やすい円形のルーペを使用したボールペン、シャープペンであって収納、突出、静止が出来るガイドレールを施した後軸すなわちルーペ収納軸の内面をスライドさせ使用するとともにルーペレンズ面を傷や汚れを防ぐ工夫が成されたルーペ付き筆記具である。
【発明の詳細な説明】
【技術分野】本発明は一般文具として使用生産されている筆記具に関する。
【背景技術】
【０００１】従来から生産使用されているルーペ付き筆記具は拡大率を表示されるものがないのが現状である。【０００２】従来生産されているルーペ付き筆記具は透明プラスチック本体軸と一体化された先端上部面を肉厚曲面にプラスチック成形加工され、ボールペンのインクがなくなれば捨てる使い切るタイプである【０００３】上述のようなルーペとして使用されている面の傷が付き易く保護する工夫が成されていないのが現状である。【０００４】また、従来から生産使用されているものにルーペ付筆記具の本体軸に内蔵されたものがあるが本体軸ごしに覗くので本体軸の枠が邪魔なり見ずらいのが欠点であるといえる。
【発明の開示】
【発明が解決しようとする課題】
【０００５】上述のように従来技術に係わるルーペ付き筆記具はルーペの拡大率表示のないものが使用され透明プラスチックを肉厚曲面に加工されたものがルーペとなっている。
ルーペの拡大率を表示し、レンズ表面を傷、汚れ等から防ぐ装置を施し、ルーペ機能の支障がないような工夫が成され、日常生活にルーペが必要な人々が慣れ親しんでいる小型でも円形のルーペと筆記具と一体化させたものが有効と考え、外出時に老眼気味や老眼の人々がルーペが必要なと手軽な便利な製品として極めて有効である。
【課題を解決するための手段】
【０００６】上述の目的を達成する本発明はリトラクタブルボーペン、一般的に使用され生産されているシャープペン等の芯出しはノックキャップを押し筆記するが、本発明は筆記具機能の構造部の先軸ルーペの収納、突出、静止等の装置を施した収納軸の後軸とが連結し筆記具となる。また先軸と後軸とが脱着可能にとなりシャープ芯の補充が出来、且つ連結部横孔からリップが筆記具作動部連結、固定して使用する。
また一般的な筆記具サイズで作り、携帯にも便利なサイズにまとめる。
【発明の効果】
【０００７】以上、説明したように本発明によれば携帯に便利に作られた一般的な筆記具と同じようなサイズで作られた小型で円形状ルーペ付き筆記具は老眼、老眼気味の人々に気軽にたずさえるし必要に応じ使用出来、また好奇心の旺盛な学童達に観察など極めて有効なルーペ付き筆記具と成り得る。
【発明を実施するための最良の形態】
【０００８】以下、本発明の実施の形態を図面にもとずき説明する。【０００９】図１〜図１１は本発明の実施に係わり、図１の一般的なシャープペンシルの作動構造を１４の先軸に収納、固定され、６のの芯タンクは８のクリップ固定部品に挟み込みクリップを固定しクリップは押し作動させる。
シャープ芯の補充等は１４の先軸と１１の後軸で脱着可能なカンゴウによって連結されている。
１１の後軸は９の円形のルーペが取り付けられた枠であり１０のスライドボタンを枠の上板とボタン取り付け箇所に圧入カンゴウしルーペの収納、突出、静止出来るがイドを後軸上面に施し、且つルーペが作動にブレないように後軸下面にガイドを施しスムーズ且つ安定した作動を可能にする。【００１０】図２は一般的なリトラクタブル式ボールペンであり芯出し作動はシャープペンシルを同じようにクリップを押し作動させる。
ルーペの収納、突出、静止機能等は上述のシャープペンシルと同じ仕組みとなっている。
【実施例】
【００１１】実施に際し、本発明のルーペ付き筆記具を継続的に使用するためシャープ芯は広く市販されているＬ＝６０ｍｍｘ０．５ｍｍ芯を標準としボールペンリフィールも広く市販されている替え芯を標準とする。
さらに実施する際、形状、デザイン、サイズは任意に選択されるものでありこれに限定されるものではない。
【産業上の利用分野】
【００１２】本発明は一般文具筆記具を製造、販売する産業分野で利用することが出来る。
【図面の簡単な説明】
【００１３】
【図１】ルーペ付きシャープペンシルを組み立てた外観斜視図の断面図である。
【図２】ルーペ付きボールペンの外観斜視図の断面図である。
【図３】上述の先軸の断面図である。
【図４】クリップ兼ノックの固定筒の断面図である。
【図５】図４の上面からの断面図である。
【図６】クリップ兼ノックの断面図である。
【図７】ボールペンの口金の断面図である。
【図８】シャープペンシルの口金の断面図である。
【図９】後軸の断面図である。
【図１０】ルーペを取り付ける枠の断面図である。
【図１１】ルーペをスライドさせるボタンの断面図である。
【符号の説明】
【００１４】  １．シャープペンシルのチャック
２．シャープ芯の滑り止め
３．シャープペンシルのクラッチ
４．バネ
５．シャープ芯
６．芯タンク
７．クリップ
８．クリップ固定筒
９．ルーペ
１０．ルーペのスライドボタン
１１．後軸
１２．ルーペ取り付け枠
１３，ゴムグリップ
１４．先軸
１５．口金
１６．ボールペン作動の中駒
１７．ボールペン作動のノックバー
１８．ボールペンリフィールＬ＝６７ｍｍの受け筒
【図１】
2007313870.tif 000003
【図２】
2007313870.tif 000004
【図３】
2007313870.tif 000005
【図４】
2007313870.tif 000006
【図５】
2007313870.tif 000007
【図６】
2007313870.tif 000008
【図７】
2007313870.tif 000009
【図８】
2007313870.tif 000010
【図９】
2007313870.tif 000011
【図１０】
2007313870.tif 000012
【図１１】
2007313870.tif 000013
(57)【要約】【課題】刷毛付き消しゴムに刷毛及び消しゴムに送りだし機能を持たせる。【解決手段】硬質プラスチック製中空棒状丸筒に前進、後進、静止を可能にするガイドを有し送りだし機能部材に装着された刷毛、消しゴムを必要に応じて収納、突出によって使用を可能にし入手、購入時と変わらず長期にわたり使用が出来る。【選択図】図４
2007313869.tif 000002
【特許請求の範囲】
【請求項１】
硬質プラスチック製中空棒状丸筒の内面に収納された送りだし機能付き部材に装着された丸棒状の消しゴムと刷毛が互いに逆方向に前進、後進、静止ができる自在性を持たせ、丸筒棒状上面に彫り込まれたガイドに沿って送りだし機能部材の指掛け部を移動させる刷毛付きの消しゴムである。
【発明の詳細な説明】
【技術分野】
【０００１】本発明は一般文具用の刷毛付き消しゴムである。【０００２】従来生産され使用されている刷毛付き消しゴムは、紙巻きされた棒状に内蔵された消しゴムの上部に刷毛が取り付けられたのが現状である。【０００３】消しゴム使用され消耗されるにしたがって短くなり使用に不便さが残るようである。【０００４】従来の刷毛付き消しゴムは使いきりタイプとして生産され替え消しゴムを補充し長期に使用することには適していないのが現状である。【０００５】刷毛の収納機能が取り付けられていないのも現状である。
【発明の開示】
【発明が解決しようとする課題】
【０００６】上述のように従来技術に係わる刷毛付き消しゴムは使い切る製品として生産され、消しゴムが使用され消耗すれば広く市販されている補充用替え消しゴムを差し換えることを可能にし、刷毛付き消しゴムとして入手、購入時と同じように使用が出来、長期にわたり使える。
同時に刷毛は必要に応じて出し入れをも可能にさせることで使いきり製品ではない刷毛付き消しゴムとして有効である。
【課題を解決するための手段】
【０００７】上述の目的を達成する本発明は硬質プラスチック製中空丸筒棒状に互いに逆方向に前進、後進、静止させる送りだし機能を持たせ、送りだし機能部材の指掛け部を移動しながら消しゴム及び刷毛の収納、突出をくり返し使用する。【０００８】また収納、突出の移動をスムーズににさせるため中空丸筒の上面に送りだし機能指掛け部が前進、後進、静止が出来るガイド有することによって実現が可能となる。
【発明の効果】
【０００９】以上、説明したように本発明によれば硬質プラスチック製中空棒状丸筒に内蔵された送りだし機能部材を前進、後進、静止を可能するガイドを有し、必要に応じて出し入れをするには本体筒に内蔵された送りだし機能部材の指掛け部を移動させ使用する。【００１０】消しゴムが消耗すれば補充用替え消しゴムを装着すれば長期にわたり使用が可能であり、刷毛付き消しゴムとして極めて有効な製品である。
【発明を実施するための最良の形態】
【００１１】以下、本発明の実施の形態を図面にもとずき説明する。【００１２】図１〜図４は本発明の実施に係り、図１は硬質プラスチック製出し入れをスムーズにさせるガイド付き中空棒状丸筒の外観視斜図である。
図２は棒状消しゴムを送りだす機能部材の外観斜視図である。
図３は刷毛を送りだす機能部材の外観斜視図である。
図４は、中空棒状丸筒に送りだし両部材を内蔵しこの機能部材に消しゴム、刷毛が植毛された外観斜視図である。
【実施例】
【００１３】実施に際しペンケースやペンポーチに収納出来る寸法を標準としまた替え消しゴムは広く市販されているサイズも標準とする。
さらに実施するに際し形状やサイズは任意に選択されるものでありこれに限定するものではない。
【産業上の利用分野】
【００１３】本発明は一般文具を製造、販売する産業分野に利用することが出来る。
【図面の簡単な説明】
【００１４】
【図１】中空棒状丸筒のガイド上面に置く外観斜視図である。
【図２】棒状の消しゴムを送りだす機能部材の外観斜視図である。
【図３】刷毛を植毛出来る送りだし機能部材の外観斜視図である。
【図４】本製品を組み立てた外観斜視図である。
【符号の説明】
【００１５】１．硬質プラスチック製中空棒状丸筒
２．消しゴム送りだしガイド
３．刷毛用送りだしガイド
４．送りだし指掛け部
５．消しゴム受け孔
６．ガイドと合わせるストッパー部
７．刷毛職能孔
８．棒状消しゴム
９．刷毛
【図１】
2007313869.tif 000003
【図２】
2007313869.tif 000004
【図３】
2007313869.tif 000005
【図４】
2007313869.tif 000006
(57)【要約】【課題】  紙の温度の精度が悪い上に、調整ロールが移動するため保温しにくく負荷が低い場合には巻き角度が小さく利用熱量が少なく大気への放熱が多く燃料が無駄であり、調整ロールの移動装置も必要である。【解決手段】  ヒータ４の出口にシート５の表面温度を測定するための非接触式温度センサ１を持ち、設定したシート温度にすべく入熱を調整するための蒸気弁２の開度を自動調整するための制御装置３を持ち、保温材で放熱量を減少させる。【選択図】図１
2007313868.tif 000002
【特許請求の範囲】
【請求項１】
ヒータ（４）の出口でシート（５）の表面温度を測定すべく非接触式温度センサ（１）を備え、入熱を調整するための蒸気弁（２）の開度を自動調整すべく制御盤（３）を持った、シートの蒸気加熱式自動温度制御ヒータ。
【発明の詳細な説明】
【技術分野】
【０００１】  本発明は、段ボール製造装置に関するものである。
【背景技術】
【０００２】  段ボール製造工程では段ボール原紙からシートを製造する製段工程があるが、段ボール原紙をヒータで加熱し段ボールに加工される。  中芯、ライナ用原紙とも蒸気ヒータで加熱するが、従来は図２の概念図のように加熱源の蒸気を円筒形のヒータ４へ供給し、必要熱量に合わせてシート５の巻き角度を調整ロール（７）が円弧を描くようにヒータの胴回りを動き、シート５の接触面積を調整している。  実際には本機速度や紙質により予め角度を設定しておき、生産管理装置からのデータにより巻き角度を変更する。  紙の温度が必要であるが直接測っているわけではなく、経験的に巻き角度と紙の温度の関係を推定して制御しているが季節により大気温も変わり正確ではない。  調整ロールが円弧を描き移動するので保温が難しいため保温していないし、調整ロールの移動装置も必要である。
【発明の開示】
【発明が解決しようとする課題】
【０００３】  従来の装置では、紙の温度を実際測定していないのでラフな上に、調整ロールが移動するため保温しにくく負荷が低い場合には巻き角度が小さく利用熱量が少なく大気への放熱が多く燃料が無駄であり、調整ロールの移動装置が必要で機械的な構造も複雑である。
【課題を解決するための手段】
【０００４】  概念図の図１に基づき説明する。  ヒータ４の出口にシート５の表面温度を測定するための非接触式温度センサ１を持ち、設定したシート温度にすべく入熱を調整するための蒸気流量あるいは蒸気圧力調整弁２の開度を自動調整するための制御装置３を持つ。  ガイドロール（６）は固定式とし、保温材（８）で覆う。
【発明の効果】
【０００５】  本発明により、シンプルな装置でシート出口温度が一定になり、しかも大気への放熱量が大幅に減少するので省エネにもなる。
【発明を実施するため最良の形態】
【０００６】  以下、本発明の詳細を実施例に基づき説明する。
【実施例】
【０００７】  図１の概念図に基づき説明する。  ヒータ４はドラムタイプで蒸気加熱でドレンは底部から図示しないサイフォン管でスムーズに排出させる。  入口、出口のガイドロール６は固定で、シート５は一定の経路を通過する。  蒸気はヒータ入口に蒸気弁２を設け、ヒータ出口に設けた１個あるいは幅方向の温度分布が大きい場合は複数個の非接触温度センサ１により測温し、設定された温度になるように制御盤３により弁の開度を自動調整する。入熱量は蒸気流量で調整してもいいし、蒸気圧力で調整してもいい。  保温材はガイドロールが固定なので固定して取付けられるので放熱量を減らせる。  実際には上部は簡単に紙通し可能な構造とする。
【産業上の利用可能性】
【０００８】  本発明の装置はシンプルで、省エネになるので実用の可能性は極めて高い。
【図面の簡単な説明】
【０００９】
【図１】  本発明の概念図である。
【図２】  従来の概念図である。
【符号の説明】
【００１０】  １  温度センサ
２  蒸気弁
３  制御盤
４  ヒータ
５  シート
６  ガイドロール
７  調整ロール
８  保温材
【図１】
2007313868.tif 000003
【図２】
2007313868.tif 000004